(57)【要約】【課題】利用者に対して目的地までのルートを提供することが可能な位置情報案内システム及び位置配信端末と携帯情報端末ならびにコンピュータ・ソフトウエアを提供する。【解決手段】無線通信手段１４を備えるとともに地図情報及び地図情報上の自端末の位置情報を記録した複数の位置配信端末２と、無線通信手段１１及び表示手段１３を備える携帯情報端末１とで構成され、目的地への案内情報を携帯情報端末に表示する位置情報案内システムであって、複数の位置配信端末２は、各々、無線接続した携帯情報端末１から受取った目的地情報９により目的地への最適ルート方向情報を作成する機能２０を有し、携帯情報端末１は無線接続した位置配信端末２から取得した地図情報１６、位置配信端末の位置情報１７及び最適ルート情報を同時に表示する機能を有する。【選択図】        図１
2004239820.tif 000002
【特許請求の範囲】
【請求項１】
無線通信手段を備えるとともに地図情報及び該地図情報上の自端末の位置情報を記録した複数の位置配信端末と、無線通信手段及び表示手段を備える携帯情報端末とで構成され、目的地への案内情報を携帯情報端末に表示する位置情報案内システムであって、
前記複数の位置配信端末は、各々、無線接続した携帯情報端末から受取った目的地情報により目的地への最適ルート情報を作成する機能を有し、前記携帯情報端末は無線接続した位置配信端末から取得した地図情報、該位置配信端末の位置情報及び最適ルート情報を同時に表示する機能を有することを特徴とする位置情報案内システム。
【請求項２】
無線通信手段を備えるとともに地図情報及び該地図情報上の自端末の位置情報を記録する位置配信端末であって、
無線接続した携帯情報端末から受取った目的地情報により目的地への最適ルート情報を作成する機能と、地図情報、自端末の位置情報及び最適ルート情報を無線接続した携帯情報端末に送信する機能とを有することを特徴とする位置配信端末。
【請求項３】
無線通信手段及び表示手段を備える携帯情報端末であって、
無線接続した位置配信端末に目的地情報を送信する機能と、位置配信端末から取得した地図情報、該位置配信端末の位置情報及び最適ルート情報を同時に表示する機能とを有することを特徴とする携帯情報端末。
【請求項４】
無線通信手段を備える複数の位置配信端末と、無線通信手段及び表示手段を備えるとともに地図情報を記録した携帯情報端末とで構成され、目的地への案内情報を携帯情報端末に提供する位置情報案内システムであって、
前記複数の位置配信端末は、各々、前記地図情報上の自端末の位置情報を記録しているとともに目的地への最適ルート情報を作成する機能を有し、前記携帯情報端末は無線接続した位置配信端末から該位置配信端末の位置情報及び最適ルート情報を取得して前記地図情報、無線接続した位置配信端末の位置情報及び最適ルート情報を同時に表示する機能を有することを特徴とする位置情報案内システム。
【請求項５】
無線通信手段を備える位置配信端末であって、
前記地図情報上の自端末の位置情報を記録しているとともに目的地への最適ルート情報を作成する機能と、自端末の位置情報及び最適ルート情報を無線接続した携帯情報端末に送信する機能とを有することを特徴とする位置配信端末。
【請求項６】
無線通信手段及び表示手段を備えるとともに地図情報を記録する携帯情報端末であって、
無線接続した位置配信端末に目的地情報を送信する機能と、位置配信端末から取得した該位置配信端末の位置情報及び最適ルート情報と地図情報とを同時に表示する機能を有することを特徴とする携帯情報端末。
【請求項７】
請求項１又は４に記載の位置情報案内システムにおいて、
上記複数の位置配信端末は、携帯情報端末との無線接続が可能な無線接続可能地域が隣接する位置配信端末の無線接続可能地域と重なる部分を有する配置されていることを特徴とする位置情報案内システム。
【請求項８】
請求項７記載の位置情報案内システムにおいて、
前記複数の位置配信端末は隣接する位置配信端末の固有ＩＤを含む隣接端末固有情報を記録しており、前記携帯情報端末は無線接続した位置情報端末から入手した隣接端末固有情報により次に無線接続する位置配信端末を限定する機能を有することを特徴とする位置情報案内システム。
【請求項９】
請求項１又は４に記載の位置情報案内システムにおいて、
上記位置配信端末の少なくとも１つは、接続可能な携帯情報端末が記録している認証用データを受取って認証する手段を有するゲート端末であることを特徴とする位置情報案内システム。
【請求項１０】
請求項２又は５に記載の位置配信端末において、
無指向性アンテナ及び該無指向性アンテナと切替え可能な指向性アンテナとを備え、前記指向性アンテナを介して携帯情報端末と無線通信することにより、該携帯情報端末を検出する機能を有することを特徴とする位置配信端末。
【請求項１１】
無線通信手段を備えるとともに地図情報及び該地図情報上の自端末の位置情報を記録する位置配信端末に使用されるコンピュータ・ソフトウエアであって、
無線接続した携帯情報端末から受取った目的地情報により目的地への最適ルート情報を作成する機能と、地図情報、自端末の位置情報及び最適ルート情報を無線接続した携帯情報端末に送信する機能とをコンピュータに実現させるプログラムからなるコンピュータ・ソフトウエア。
【発明の詳細な説明】
【０００１】
【発明の属する技術分野】
本発明は、位置情報案内システム及び位置配信端末と携帯情報端末ならびにコンピュータ・ソフトウエアであり、無線通信可能な情報端末から携帯情報端末に情報を送ることで、携帯情報端末の所有者を目的地まで案内するシステム、特に劇場やホール等の屋内、および徒歩で移動する比較的近距離の位置情報案内システムに関する。
【０００２】
【従来の技術】
劇場やイベント会場等で目的とした場所や座席にいくには、チケット等に記載された座席番号等と案内板の表示、会場の番号等を照らし合わせて目的の座席にいくことになるが、会場が大きい場合や、人が多い場合には座席までたどり着くには非常に時間がかかる場合が多い。従来の位置情報案内システムには、劇場やイベント会場等の予約した座席に案内するシステムである特許文献１の座席案内装置がある。この座席案内装置では、会場の入場口近くで入場券を座席案内装置に入れると、座席案内装置の表示部に入場券に記載された座席の案内図を表示するシステムである。入場者はこの案内表示を見て、自分の座席に行くことになる。
【０００３】
【特許文献１】
特開平６−２７４７６７号公報
【０００４】
【発明が解決しようとする課題】
上記従来の座席案内装置では、入場口のみの案内となり、座席が再びわからなくなる場合、座席案内装置まで戻らなければならない事態が発生する。また、たとえ、前記座席案内装置にプリンタが設けられており、座席表をプリントアウトされ、配布されたとしても、広い会場内では、自分の位置を見失うことがある。また、入場者共通の案内板では、１度に１人しか案内板を確認することはできず、多くの入場者がある場合は不適切であるという問題があった。
【０００５】
本発明は、従来の問題を解決するものであり、所有者に対して目的地までのルートを提供することが可能な位置情報案内システム及び位置配信端末と携帯情報端末ならびにコンピュータ・ソフトウエアを提供することを目的とする。
【０００６】
【課題を解決するための手段】
上記課題を解決する為に、本発明では、会場等に入場するためのチケットを入場許可データと共に座席情報等の目的地情報を含む電子チケットとして携帯情報端末に格納する。会場には会場内案内情報および現在位置情報が格納されている複数の配信端末を設け、前記携帯情報端末が複数の配信端末のうちいずれかに接続すると、配信端末は携帯情報端末から目的地情報を入手し、会場情報および現在位置情報、最適ルート情報を合成して目的地案内情報として、携帯情報端末に配信する。携帯情報端末では受信した目的地案内情報を表示することにより、携帯情報端末の所有者は現在地、目的地、目的地までのルートを知ることができ、迷わずに目的地まで行くことができる。
【０００７】
また、入場をチェックするゲートに配信端末を設け、入場時に携帯情報端末に入場許可書、前記目的地案内情報の他に隣接する配信端末の固有ＩＤを送信することにより、無線接続することで複数の情報端末が接続可能な状態にあっても、前記携帯情報端末は次に接続するべき位置情報を発信する端末が固定でき、適切な位置情報を取得することができる。
【０００８】
すなわち、本発明は、無線通信手段を備えるとともに地図情報及び該地図情報上の自端末の位置情報を記録した複数の位置配信端末と、無線通信手段及び表示手段を備える携帯情報端末とで構成され、目的地への案内情報を携帯情報端末に表示する位置情報案内システムであって、前記複数の位置配信端末は、各々、無線接続した携帯情報端末から受取った目的地情報により目的地への最適ルート情報を作成する機能を有し、前記携帯情報端末は無線接続した位置配信端末から取得した地図情報、該位置配信端末の位置情報及び最適ルート情報を同時に表示する機能を有する位置情報案内システムである。
【０００９】
また、本発明は、無線通信手段を備えるとともに地図情報及び該地図情報上の自端末の位置情報を記録する位置配信端末であって、無線接続した携帯情報端末から受取った目的地情報により目的地への最適ルート情報を作成する機能と、地図情報、自端末の位置情報及び最適ルート情報を無線接続した携帯情報端末に送信する機能とを有する位置配信端末である。
【００１０】
これにより、他の位置配信端末と、無線通信手段及び表示手段を備えるとともに地図情報を記録した携帯情報端末とで上記の位置情報案内システムを構成することができる。
【００１１】
そして、本発明は、無線通信手段及び表示手段を備える携帯情報端末であって、無線接続した位置配信端末に目的地情報を送信する機能と、位置配信端末から取得した地図情報、該位置配信端末の位置情報及び最適ルート情報を同時に表示する機能とを有する携帯情報端末である。
【００１２】
これにより、無線通信手段を備えるとともに地図情報及び該地図情報上の自端末の位置情報を記録した複数の位置配信端末とで上記の位置情報案内システムを構成することができる。
【００１３】
更に、本発明は、無線通信手段を備える複数の位置配信端末と、無線通信手段及び表示手段を備えるとともに地図情報を記録した携帯情報端末とで構成され、目的地への案内情報を携帯情報端末に提供する位置情報案内システムであって、前記複数の位置配信端末は、各々、前記地図情報上の自端末の位置情報を記録しているとともに目的地への最適ルート情報を作成する機能を有し、前記携帯情報端末は無線接続した位置配信端末から該位置配信端末の位置情報及び最適ルート情報を取得して前記地図情報、無線接続した位置配信端末の位置情報及び最適ルート情報を同時に表示する機能を有する位置情報案内システムである。
【００１４】
また、本発明は、無線通信手段を備える位置配信端末であって、前記地図情報上の自端末の位置情報を記録しているとともに目的地への最適ルート情報を作成する機能と、自端末の位置情報及び最適ルート情報を無線接続した携帯情報端末に送信する機能とを有する位置配信端末である。
【００１５】
これにより、他の位置配信端末と、無線通信手段及び表示手段を備えるとともに地図情報を記録した携帯情報端末とで上記の位置情報案内システムを構成することができる。
【００１６】
そして、本発明は、無線通信手段及び表示手段を備えるとともに地図情報を記録する携帯情報端末であって、無線接続した位置配信端末に目的地情報を送信する機能と、位置配信端末から取得した該位置配信端末の位置情報及び最適ルート情報と地図情報とを同時に表示する機能を有する携帯情報端末である。
【００１７】
これにより、無線通信手段を備えた複数の位置配信端末とで上記の位置情報案内システムを構成することができる。
【００１８】
更に、本発明は、上記複数の位置配信端末は、携帯情報端末との無線接続が可能な無線接続可能地域が隣接する位置配信端末の無線接続可能地域と重なる部分を有する配置されている位置情報案内システムである。
【００１９】
また、本発明は、前記複数の位置配信端末は隣接する位置配信端末の固有ＩＤを含む隣接端末固有情報を記録しており、前記携帯情報端末は無線接続した位置情報端末から入手した隣接端末固有情報により次に無線接続する位置配信端末を限定する機能を有する位置情報案内システムである。
【００２０】
そして、本発明は、上記位置配信端末の少なくとも１つは、接続可能な携帯情報端末が記録している認証用データを受取って認証する手段を有するゲート端末である位置情報案内システムである。
【００２１】
更に、本発明は、無指向性アンテナ及び該無指向性アンテナと切替え可能な指向性アンテナとを備え、前記指向性アンテナを介して携帯情報端末と無線通信することにより、該携帯情報端末を検出する機能を有する位置配信端末である。
【００２２】
また、本発明は、無線通信手段を備えるとともに地図情報及び該地図情報上の自端末の位置情報を記録する位置配信端末に使用されるコンピュータ・ソフトウエアであって、無線接続した携帯情報端末から受取った目的地情報により目的地への最適ルート情報を作成する機能と、地図情報、自端末の位置情報及び最適ルート情報を無線接続した携帯情報端末に送信する機能とをコンピュータに実現させるプログラムからなるコンピュータ・ソフトウエアである。
【００２３】
【発明の実施の形態】
以下、本発明の実施例について、図面を用いて説明する。
本発明の位置情報案内システム及び位置配信端末と携帯情報端末の実施例について、図１〜図７を用いて説明する。図１は、実施例１の位置情報案内システムの機能ブロックの一例の説明図である。図２は、実施例１の位置配信端末の配置の一例の説明図である。図３は、実施例１の位置情報案内システムのゲート入場のための処理フローの一例の説明図である。図４は、実施例１の位置情報案内システムの位置情報取得のための処理フローの一例の説明図である。図５は、実施例１の携帯情報端末の表示画面の一例の説明図である。図６は、実施例１の携帯情報端末の表示画面の一例の説明図である。図７は、実施例１における無線通信手段の機能ブロックの一例の説明図である。
【００２４】
実施例１を説明する。本実施例の位置情報案内システムの機能ブロック図を図１に示す。本実施例では予め携帯情報端末の所有者がチケットを購入し、そのチケットでは座席が決まっており、所有者（利用者）がチケットに記録されている座席まで行く場合を例に説明するが、特に、本発明では座席に限ったことではなく、目的地とするものは何でも良い。
【００２５】
１は個人が所有している携帯情報端末、２は会場に設置されている位置配信端末である。携帯情報端末１は、少なくともＣＰＵ４及びＣＰＵ４とバス６で接続されるＲＯＭ３、記録手段７、出入力手段Ｉ／Ｏ５、表示手段１３と、出入力手段５に接続する無線通信手段１１、入力手段１２で構成される。また、前記記録手段７には、電子チケット情報８が記録されており、電子チケット情報８は少なくとも座席情報９を含む。電子チケット８には、通常他に、例えば入場許可コードや日付、時間等のデータが含まれており、入場許可コード等は公開鍵あるいは秘密鍵を用いて暗号化されている。また、電子チケット８の入手手段としては、無線通信手段１１を用いて、無線通信手段１１と通信可能な電子チケット配信サーバから入手してもよいし、携帯情報端末１に無線通信手段１１とは別の方式の通信手段、例えばインターネットに接続可能なモデムやＬＡＮ等の通信手段を使って電子チケット配信サーバに接続しても入手してもよい。
【００２６】
無線通信手段１１は、例えば、近距離で通信可能な無線通信手段で、同様な通信手段を備えた他の情報端末がある一定距離以下に近づくと、お互いの電波を受信し、携帯情報端末１および他の情報端末は接続可能な端末があることを認識する。
【００２７】
位置情報端末２は、少なくとも携帯情報端末１の無線通信手段１１と接続する為の無線通信手段１４、記録手段１５及び座席案内作成手段２０を有しており、記録手段１５には会場全体の地図等で構成される地図情報１６、自分の位置情報である現在位置情報１７、端末毎に固有であるＩＤ情報１８、隣接するほかの位置情報端末のＩＤ情報である隣接端末情報１９が記録されている。座席案内作成手段２０は、携帯情報端末１から受取った目的地情報と、会場情報１６及び現在位置情報１７等により目的地への最適ルート情報（最適ルート方向情報）を作成し、座席情報９を合成して座席案内情報を形成する。
【００２８】
図２に本実施例である位置配信端末の配置例の一部を示す。図１と同じものには同じ番号を付しており説明は省略する。４１は会場の入口であり、４２は入場の可否を判別するゲート端末、２Ａ、２Ｂ、２Ｃ、２Ｄ、２Ｅは位置配信端末であり、４０Ａ、４０Ｂ、４０Ｃ、４０Ｄ、４０Ｅは位置配信端末２Ａ、２Ｂ、２Ｃ、２Ｄ、２Ｅそれぞれの無線接続可能領域である。各位置配信端末は、無線接続可能地域が隣接する位置配信端末の無線接続可能地域と重なる部分を有するよう配置されている。なお、図２は説明のために位置配信端末の一部分を示したものであり、実際には、会場にあわせてさらに多くの位置配信端末が設置されることは容易に予想される。
【００２９】
携帯情報端末１は会場に入るときに入口でゲート端末４１の認証を受ける。ゲート端末４１は携帯情報端末１と無線接続するための無線通信手段と、位置情報端末２と同様な隣接端末情報をもっている。なお、ゲート端末の無線通信手段は、入口のゲートを通過する携帯情報端末１のみと無線接続をするため、電波の届く範囲は位置配信端末よりも微弱なものとなる。以下、携帯情報端末１とゲート端末４１は図３を用いて説明する。
【００３０】
図３に実施例１における入場許可受ける処理フローの一例を示す。図１と同じものには同じ番号を付してある。１０１は携帯情報端末１のフローであり、１０２はゲート端末４１のフローである。携帯情報端末１がゲート端末４１と無線接続可能な領域に入ると携帯情報端末１とゲート端末４１は無線接続を確立する。無線接続が確立されると、ゲート端末４１２は携帯情報端末１に座席情報要求の送信１０３を行う。座席案内要求を受信１０４した携帯情報端末１は電子チケット内にある座席情報９を送信する。座席情報受信１０６したゲート端末４１は、ゲート端末内あるいはＬＡＮ接続等で接続する管理サーバ内にある座席データベース１３０と照合、座席情報認証１０７を行い、座席情報９が正当なものであればゲートを開け、ゲート端末内４１に格納されている隣接端末情報１９とともに、入場許可情報および隣接端末情報送信１１０を行う。ここで、もし座席情報が不正なデータであれば、ゲートを閉めることにより、携帯情報端末１の所有者は会場内には入れない。携帯情報端末１は入場許可情報１１３および位置情報端末４１の隣接端末情報１１４を記録手段７に格納する。携帯情報端末１は、まず、ゲート端末４１から入手した隣接端末情報１１４にかかれている端末名あるいは端末ＩＤから、次に無線接続すべき位置配信端末を判別する。図３では、隣接端末情報１１４は位置情報端末２Ａの端末情報となる。
【００３１】
次に、携帯情報端末１が位置情報端末２から位置案内情報を入手するための処理フローの一例について、図４を用いて説明する。図１と同じものには同じ番号を付してある。２０１は携帯情報端末１のフローであり、２０２は位置配信端末２のフローである。携帯情報端末１は複数の無線接続が可能な端末から、隣接端末情報１１４に記述されている位置配信端末２を選択する。無線接続が確立されると、位置配信端末２は携帯情報端末１に座席情報要求の送信２０３を行う。座席案内要求を受信２０４した携帯情報端末１は電子チケット内にある座席情報９を送信する。
【００３２】
位置配信端末２は受信した座席情報９と会場情報１６と現在位置情報１７とを会場案内情報作成手段２０で合成して会場案内情報を携帯情報端末１に送信する。携帯情報端末１は、受信した会場案内情報を表示手段１３に表示する。携帯情報端末１の所有者は、表示された会場案内情報を見ることで、目的の座席へ行くことができる。なお、会場案内情報等の一部を音声に変換することも可能である。
【００３３】
また、本フロー例では、座席情報の要求を位置配信端末２から送信するようにしているが、携帯情報端末１側から、会場案内情報を要求するようにしてもよいし、先に座席情報を送ってよい。
【００３４】
以上説明した処理フローのように、携帯情報端末１が前記無線接続可能領域４０Ａ、４０Ｂ、４０Ｃ、４０Ｄ、４０Ｅのいずれかに入ると、携帯情報端末１は無線通信を開始する。携帯情報端末１の所有者は入口から入場すると、まず、位置配信端末２と接続する。例えば、所有者が目的とする座席が入口４１を入って左側にあるとすると、無線通信領域４０Ｃの位置配信端末２Ｃ、次に無線通信領域４０Ｄの位置配信端末２Ｄと携帯情報端末１は順次接続して会場案内情報を入手していく。例えば、図２では携帯情報端末１は位置配信端末２Ｄの無線接続可能領域４０Ｄにあるので、位置配信端末４０Ｄから位置案内情報を入手することになる。ここで、入手した会場案内情報を携帯情報端末１に表示した表示例を示す。図５は位置案内をする一例であり、本実施例では会場名や時間等が格納されている電子チケットの内容も会場案内情報と同時に表示した例としている。図５の３０は会場案内情報であり、３２は目的地とする座席であり、３３は現在位置であり、それぞれ座席情報９および位置情報１９から、位置配信端末２が会場情報にプロットしたものである。３４は現在位置３３から目的とする道順を示した例であり、最短あるいは最適道順が位置配信端末により求められ、会場情報に合成されたものである。図５の現在地３３は携帯情報端末１と接続する位置配信端末によりかわる。
【００３５】
３１は電子チケットに書かれているテキストデータを表示した例であり、携帯情報端末１の所有者が電子チケットの予約内容がわかるように、例えば、会場、日時、座席等の情報が表示される。
【００３６】
図５では座席までの距離が遠い、例えば、通路にいる場合等の表示例を示したが、さらに座席の近くにいった場合の表示例を図６に示す。図６では図５と同じものには同じ番号を付してあり説明は省略する。５０は詳細な会場案内情報である座席表示図であり、５１は目的とする座席を示している。ここで、位置配信端末２Ｆが扉Ｃ付近に設置され、さらに扉Ｃ付近に携帯情報端末１の所有者がいることが限定できるように、位置配信端末２Ｆの無線通信手段１４の出力を設定することで、より正確な位置が把握でき、表示可能となる。また、座席の列ごとにごく近距離、例えば、前後の座席の間隔くらいに出力パワーを設定した無線手段を設けることにより、より細かな座席案内が可能になる。
【００３７】
以上、位置配信端末で会場案内情報を形成してから携帯情報端末に送る例を説明したが、携帯情報端末側で位置情報、会場情報、座席情報から会場案内情報を作成してもよい。この場合、会場案内情報を作成する手段であるアプリケーションは、電子チケット入手時に入手してもよいし、または会場に入って最初に接続する位置配信端末から入手してもよい。また、会場情報は、会場に入って最初に接続する位置配信端末から入手すれば、次から接続される位置配信端末からは現在位置情報のみ送信されるようにしてもよい。この場合、携帯情報端末と位置配信端末のアクセス時間を短くすることができる。また、携帯情報端末は自動的に位置配信端末と接続して表示を行うが、携帯情報端末のユーザがキーを操作して位置配信端末と接続させて表示を行わせることも可能である。
【００３８】
以上、さらに正確な位置を通知する位置配信端末について説明する。図７は実施例１における位置配信端末の無線通信手段機能ブロック図である。図１と同じものは同じ番号を付してあり説明は省略する。７１は無指向性アンテナであり、７２は指向性アンテナであり、７３は入出力切換え手段、７４は無線電波形成モジュールである。位置配信端末ははじめに無指向性アンテナ７１で携帯情報端末１と接続する。次に指向性アンテナ７２で携帯情報端末１の方向を検出する。次に、位置配信端末は、無線通信手段の出力調整手段で出力パワーを切換えることにより、携帯情報端末１との距離を即位する。以上の手段で測位した結果と予め記録されている位置配信端末の位置から算出し、その算出結果を現在位置情報として携帯情報端末１に送信する。この方式により、位置配信端末の無線接続可能領域を広くしても正確な位置が測位できるため、位置配信端末間隔を広くすることができ、位置配信端末の設置台数を少なくすることができる。
【００３９】
本実施例により、広い劇場やコンサート会場で携帯情報端末の所有者は、迷わずに自分の座席に行くことができる。また、適切に入場者を誘導することができるため、多くの入場がいても混乱なく、座席に導ける。さらに、多くの入場者や会場が広く、同伴者とはぐれた場合に、同伴者の位置を探すことができるため、特に、迷子を捜すためには効果がある。
【００４０】
なお、上記実施例では、地図情報を位置配信端末が記録していたが、携帯情報端末が記録することも可能である。すなわち、無線通信手段を備える複数の位置配信端末と、無線通信手段及び表示手段を備えるとともに地図情報を記録した携帯情報端末とで構成され、目的地への案内情報を携帯情報端末に提供する位置情報案内システムであって、前記複数の位置配信端末は、各々、前記地図情報上の自端末の位置情報を記録しているとともに目的地への最適ルート情報を作成する機能を有し、前記携帯情報端末は無線接続した位置配信端末から該位置配信端末の位置情報及び最適ルート情報を取得して前記地図情報、無線接続した位置配信端末の位置情報及び最適ルート情報を同時に表示する機能を有する位置情報案内システムも、実施例１と同様の作用効果を奏することができる。
【００４１】
また、無線通信手段を備えるとともに地図情報及び該地図情報上の自端末の位置情報を記録する位置配信端末に使用されるコンピュータ・ソフトウエアであって、無線接続した携帯情報端末から受取った目的地情報により目的地への最適ルート情報を作成する機能と、地図情報、自端末の位置情報及び最適ルート情報を無線接続した携帯情報端末に送信する機能とをコンピュータに実現させるプログラムからなるコンピュータ・ソフトウエアを採用することにより、コンピュータを備える装置を本発明の位置配信端末とすることができる。
【００４２】
【発明の効果】
本発明によれば、所有者に対して目的地までのルートを提供することが可能な位置情報案内システム及び位置配信端末と携帯情報端末を得ることができる。
【図面の簡単な説明】
【図１】実施例１の位置情報案内システムの機能ブロックの一例の説明図。
【図２】実施例１の位置配信端末の配置の一例の説明図。
【図３】実施例１の位置情報案内システムのゲート入場のための処理フローの一例の説明図。
【図４】実施例１の位置情報案内システムの位置情報取得のための処理フローの一例の説明図。
【図５】実施例１の携帯情報端末の表示画面の一例の説明図。
【図６】実施例１の携帯情報端末の表示画面の一例の説明図。
【図７】実施例１における無線通信手段の機能ブロックの一例の説明図。
【符号の説明】
１  携帯情報端末
２  位置配信端末
３  ＲＯＭ
４  ＣＰＵ
５  Ｉ／Ｏ
６  バス
７  記録手段
１１  通信手段
１１、１４  通信手段
７１  無指向性アンテナ
７２  指向性アンテナ
７３  入出力切替器
７４  無線電波形成モジュール
【図１】
2004239820.tif 000003
【図２】
2004239820.tif 000004
【図３】
2004239820.tif 000005
【図４】
2004239820.tif 000006
【図５】
2004239820.tif 000007
【図６】
2004239820.tif 000008
【図７】
2004239820.tif 000009